(57)【要約】【課題】記録媒体に対して画像が転写される際に有色のトナーを用いた網点が欠けることを防止するために用いられる透明のトナーの量を抑制する。【解決手段】有色のトナー及び透明のトナーを用いて複数の網点からなる画像を形成する画像形成手段を、当該有色のトナーを用いて形成される画像を構成する各網点のうち予め定められた保護すべき保護網点の各々と透明のトナーを用いた画像とが接触して形成され、保護網点以外の網点については透明のトナーを用いた画像が接触して形成されないように制御する。【選択図】図８
2011039380.tif 000002
【特許請求の範囲】
【請求項１】
有色のトナー及び透明のトナーを用いて複数の網点からなる画像を形成する画像形成手段を、前記有色のトナーを用いて形成される画像を構成する各網点のうち予め定められた保護すべき保護網点の各々と前記透明のトナーを用いた画像とが接触して形成され、前記保護網点以外の網点については前記透明のトナーを用いた画像が接触して形成されないように制御する制御手段を備えた画像形成制御装置。
【請求項２】
有色のトナー及び透明のトナーを用いて複数の網点からなる画像を形成する画像形成手段と、
前記有色のトナーを用いて形成される画像を構成する各網点のうち予め定められた保護すべき保護網点の各々と前記透明のトナーを用いた画像とが接触して形成され、前記保護網点以外の網点については前記透明のトナーを用いた画像が接触して形成されないように前記画像形成手段を制御する制御手段と、
を備えた画像形成装置。
【請求項３】
前記制御手段は、前記保護網点が形成される領域の各々の少なくとも一部を含む領域に前記透明のトナーを用いた画像が形成されるように制御し、
前記画像形成手段は、前記透明のトナーを用いて被転写体に画像を形成する第１画像形成部と、前記第１画像形成部の画像の形成の後に前記有色のトナーを用いて前記被転写体に画像を形成する第２画像形成部と、前記第１画像形成部及び前記第２画像形成部で形成された画像を前記被転写体から記録媒体に転写する転写部とを備えた請求項２に記載の画像形成装置。
【請求項４】
有色のトナー及び透明のトナーを用いて複数の網点からなる画像を形成する画像形成手段を備えた画像形成装置と、
前記有色のトナーを用いて形成される画像を構成する各網点のうち予め定められた保護すべき保護網点の各々と前記透明のトナーを用いた画像とが接触して形成され、前記保護網点以外の網点については前記透明のトナーを用いた画像が接触して形成されないように前記画像形成手段を制御する制御手段を備えた画像形成制御装置と、
を有する画像形成システム。
【請求項５】
前記制御手段は、前記保護網点が形成される領域の各々の少なくとも一部を含む領域に前記透明のトナーを用いた画像が形成されるように制御し、
前記画像形成手段は、前記透明のトナーを用いて被転写体に画像を形成する第１画像形成部と、前記第１画像形成部の画像の形成の後に前記有色のトナーを用いて前記被転写体に画像を形成する第２画像形成部と、前記第１画像形成部及び前記第２画像形成部で形成された画像を前記被転写体から記録媒体に転写する転写部とを備えた請求項４に記載の画像形成システム。
【請求項６】
コンピュータを、
有色のトナー及び透明のトナーを用いて複数の網点からなる画像を形成する画像形成手段を、前記有色のトナーを用いて形成される画像を構成する各網点のうち予め定められた保護すべき保護網点の各々と前記透明のトナーを用いた画像とが接触して形成され、前記保護網点以外の網点については前記透明のトナーを用いた画像が接触して形成されないように制御する制御手段として機能させるためのプログラム。
【発明の詳細な説明】
【技術分野】
【０００１】
本発明は、画像形成制御装置、画像形成装置、画像形成システム、及びプログラムに関する。
【背景技術】
【０００２】
人間の目には見えにくいが、複写機で複写すると隠されていた警告文字等が浮かび上がってくるように、異なる２種類のディザ処理により複写牽制模様を生成する方法が知られている（例えば、特許文献１参照）。
【０００３】
また、同一面が複数色の印刷インキで印刷された印刷物において、該複数色で印刷された印刷部の少なくとも１色を潜像印刷部とし、該潜像印刷部全体が他の印刷部より正反射量が多くなるように無色透明インキで印刷されている複写牽制印刷物も知られている（例えば、特許文献２参照。）。
【０００４】
また、印刷物を同色で、図柄の一方と他方を光沢の異なるインキで印刷し、正面から見たときは、一種類のインキで印刷したように見えるが、印刷物を傾けると潜像が現れてくる印刷物も知られている（例えば、特許文献３参照。）。
【０００５】
また、特定パターンを特色インキで印刷した多色印刷物であって、カラーコピー機による複写により該特色インキの色が目視でも識別可能な異なる色に再現される印刷物も知られている（例えば、特許文献４）。
【０００６】
また、ＣＭＹＫ版と透明トナー版のコマンド解析を行い、該コマンド解析の結果に基づき、ＣＭＹＫ版の画像データを生成し、該生成したＣＭＹＫ版の画像データの画素毎に附随する属性フラグに、透明トナー版を解析して得られた透明トナー属性を埋め込む制御装置も知られている（例えば、特許文献５参照。）。
【先行技術文献】
【特許文献】
【０００７】
【特許文献１】特開２００１−１９７２９７公報
【特許文献２】特開２００４−１２２５０５公報
【特許文献３】特開平３−２６６６８４公報
【特許文献４】特開平９−２４０１３３公報
【特許文献５】特開２００９−５５６０１公報
【発明の概要】
【発明が解決しようとする課題】
【０００８】
本発明は、記録媒体に対して画像が転写される際に有色のトナーを用いた網点が欠けることを防止するために用いられる透明のトナーの量を抑制することができる画像形成制御装置、画像形成装置、画像形成システム、及びプログラムを提供することを目的とする。
【課題を解決するための手段】
【０００９】
請求項１の発明の画像形成制御装置は、有色のトナー及び透明のトナーを用いて複数の網点からなる画像を形成する画像形成手段を、前記有色のトナーを用いて形成される画像を構成する各網点のうち予め定められた保護すべき保護網点の各々と前記透明のトナーを用いた画像とが接触して形成され、前記保護網点以外の網点については前記透明のトナーを用いた画像が接触して形成されないように制御する制御手段を備えている。
【００１０】
請求項２の発明の画像形成装置は、有色のトナー及び透明のトナーを用いて複数の網点からなる画像を形成する画像形成手段と、前記有色のトナーを用いて形成される画像を構成する各網点のうち予め定められた保護すべき保護網点の各々と前記透明のトナーを用いた画像とが接触して形成され、前記保護網点以外の網点については前記透明のトナーを用いた画像が接触して形成されないように前記画像形成手段を制御する制御手段と、を備えている。
【００１１】
請求項３の発明は、請求項２に記載の画像形成装置において、前記制御手段は、前記保護網点が形成される領域の各々の少なくとも一部を含む領域に前記透明のトナーを用いた画像が形成されるように制御し、前記画像形成手段は、前記透明のトナーを用いて被転写体に画像を形成する第１画像形成部と、前記第１画像形成部の画像の形成の後に前記有色のトナーを用いて前記被転写体に画像を形成する第２画像形成部と、前記第１画像形成部及び前記第２画像形成部で形成された画像を前記被転写体から記録媒体に転写する転写部とを備えている。
【００１２】
請求項４の発明の画像形成システムは、有色のトナー及び透明のトナーを用いて複数の網点からなる画像を形成する画像形成手段を備えた画像形成装置と、前記有色のトナーを用いて形成される画像を構成する各網点のうち予め定められた保護すべき保護網点の各々と前記透明のトナーを用いた画像とが接触して形成され、前記保護網点以外の網点については前記透明のトナーを用いた画像が接触して形成されないように前記画像形成手段を制御する制御手段を備えた画像形成制御装置と、を有する。
【００１３】
請求項５の発明は、請求項４に記載の画像形成システムにおいて、前記制御手段は、前記保護網点が形成される領域の各々の少なくとも一部を含む領域に前記透明のトナーを用いた画像が形成されるように制御し、前記画像形成手段は、前記透明のトナーを用いて被転写体に画像を形成する第１画像形成部と、前記第１画像形成部の画像の形成の後に前記有色のトナーを用いて前記被転写体に画像を形成する第２画像形成部と、前記第１画像形成部及び前記第２画像形成部で形成された画像を前記被転写体から記録媒体に転写する転写部とを備えている。
【００１４】
請求項６の発明は、コンピュータを、有色のトナー及び透明のトナーを用いて複数の網点からなる画像を形成する画像形成手段を、前記有色のトナーを用いて形成される画像を構成する各網点のうち予め定められた保護すべき保護網点の各々と前記透明のトナーを用いた画像とが接触して形成され、前記保護網点以外の網点については前記透明のトナーを用いた画像が接触して形成されないように制御する制御手段として機能させるためのプログラムである。
【発明の効果】
【００１５】
請求項１に記載の発明によれば、記録媒体に対して画像が転写される際に有色のトナーを用いた網点が欠けることを防止するために用いられる透明のトナーの量を抑制することができる。
【００１６】
請求項２に記載の発明によれば、記録媒体に対して画像が転写される際に有色のトナーを用いた網点が欠けることを防止するために用いられる透明のトナーの量を抑制することができる。
【００１７】
請求項３に記載の発明によれば、有色のトナーの画像を透明のトナーの画像より先に形成して被転写体に画像を形成する場合に比べて、転写の際に有色のトナーの画像が欠けることを抑制できる。
【００１８】
請求項４に記載の発明によれば、記録媒体に対して画像が転写される際に有色のトナーを用いた網点が欠けることを防止するために用いられる透明のトナーの量を抑制することができる。
【００１９】
請求項５に記載の発明によれば、有色のトナーの画像を透明のトナーの画像より先に形成して被転写体に画像を形成する場合に比べて、転写の際に有色のトナーの画像が欠けることを抑制できる。
【００２０】
請求項６に記載の発明によれば、記録媒体に対して画像が転写される際に有色のトナーを用いた網点が欠けることを防止するために用いられる透明のトナーの量を抑制することができる。
【図面の簡単な説明】
【００２１】
【図１】実施の形態に係る画像形成装置とコンピュータとがネットワークを介して接続されている状態を示す図である。
【図２】実施の形態に係る画像形成装置の画像形成部の概略構成を示した図である。
【図３】実施の形態に係る画像形成装置の制御系の構成を示すブロック図である。
【図４】制御装置のハードウェア構成の一例を示す図である。
【図５】コンピュータのハードウェア構成の一例を示す図である。
【図６Ａ】記録用紙に複写牽制画像が形成された状態を模式的に示す図である。
【図６Ｂ】図６Ａの破線で囲んだ部分を拡大した拡大図である。
【図７】画像形成装置の画像形成動作制御の流れを示すフローチャートである。
【図８】透明画像領域の一例を示す図である。
【図９】透明画像領域の一例を示す図である。
【図１０】透明画像領域の一例を示す図である。
【図１１】透明画像領域の一例を示す図である。
【図１２】透明画像領域の一例を示す図である。
【図１３】透明画像領域の一例を示す図である。
【図１４】コードを埋め込む際に用いられる網点のパターンを示す図である。
【図１５】コードを表すパターンに対する透明画像領域の一例を示す図である。
【図１６】印刷結果、該印刷結果が複写された場合の複写結果、及び該印刷結果の一部分（四角で囲んだ領域）を拡大した状態の一例を示す図である。
【図１７】回転式の現像装置が設けられた画像形成部を有する画像形成装置の一例を示す図である。
【発明を実施するための形態】
【００２２】
以下、図面を参照して、実施の形態について詳細に説明する。
【００２３】
本実施の形態では、図１に示すように、画像形成装置１００とコンピュータ２００とがネットワーク１５０を介して接続されている。
【００２４】
画像形成装置１００は、記録媒体に画像を形成する画像形成部と、画像を読み取る画像読取部とを備えている。図２は、画像形成装置１００の画像形成部の概略構成を示した図である。
【００２５】
この画像形成部は、図２において矢印ａで示される方向に回転する中間転写ベルト４２を備える。また、中間転写ベルト４２の回転方向ａ（以下、プロセス方向）に沿って上流側から下流側に向かって、透明な画像を形成するＬ画像形成ユニット２０Ｌ、Ｙ（イエロー）色の画像を形成するＹ画像形成ユニット２０Ｙ、Ｍ（マゼンタ）色の画像を形成するＭ画像形成ユニット２０Ｍ、Ｃ（シアン）色の画像を形成するＣ画像形成ユニット２０Ｃ、Ｋ（ブラック）色画像を形成するＫ画像形成ユニット２０Ｋが、タンデム状に配設されている。
【００２６】
なお、Ｌ画像形成ユニット２０Ｌは、透明のトナーを用いて、可視光を透過する、視認しにくい透明な画像を形成する画像形成ユニットである。
【００２７】
図２に示すように、画像形成部は、Ｌ画像形成ユニット２０Ｌ、Ｙ画像形成ユニット２０Ｙ、Ｍ画像形成ユニット２０Ｍ、Ｃ画像形成ユニット２０Ｃ、及びＫ画像形成ユニット２０Ｋは、それぞれ、感光体２２Ｌ、２２Ｙ、２２Ｍ、２２Ｃ、及び２２Ｋと、感光体２２Ｌ、２２Ｙ、２２Ｍ、２２Ｃ、及び２２Ｋの表面をそれぞれ帯電させる帯電器２４Ｙ、２４Ｍ、２４Ｃ、２４Ｋ及び２４Ｌと、帯電した感光体２２Ｌ、２２Ｙ、２２Ｍ、２２Ｃ、及び２２Ｋをそれぞれ露光して静電潜像を形成する露光装置２６Ｌ、２６Ｙ、２６Ｍ、２６Ｃ、及び２６Ｋと、静電潜像が形成された感光体２２Ｙ、２２Ｍ、２２Ｃ、及び２２Ｋの表面に、それぞれ透明のトナー、Ｙ色のトナー、Ｍ色のトナー、Ｃ色のトナー、及びＫ色のトナーを付着させて現像する現像装置２８Ｌ、２８Ｙ、２８Ｍ、２８Ｃ、及び２８Ｋと、１次転写の後に感光体２２Ｌ、２２Ｙ、２２Ｍ、２２Ｃ、及び２２Ｋの表面を清掃して転写残留の廃トナー等を除去するクリーナ５０Ｌ、５０Ｙ、５０Ｍ、５０Ｃ、及び５０Ｋとを備えている。
【００２８】
更に、中間転写ベルト４２の内周面に接触しつつ回転することにより、中間転写ベルト４２を矢印ａの方向に走行させる搬送ローラ４４と、搬送ローラ４４と協働して中間転写ベルト４２を緊張状態に保持するとともに、２次転写ユニット６を構成するバックアップローラ４６と、中間転写ベルト４２の内周面に接触しつつ、前記搬送ローラ４４の回転に従動して回転する補助ローラ５２、５４と、Ｌ画像形成ユニット２０Ｌにより形成された透明の画像を中間転写ベルト４２の外周面に転写する転写ローラ４８Ｌと、Ｙ画像形成ユニット２０Ｙにより形成されたＹ色の画像を中間転写ベルト４２の外周面に転写する転写ローラ４８Ｙと、Ｍ画像形成ユニット２０Ｍにより形成されたＭ色の画像を中間転写ベルト４２の外周面上に転写する転写ローラ４８Ｍと、Ｃ画像形成ユニット２０Ｃにより形成されたＣ色の画像を中間転写ベルト４２の外周面に転写する転写ローラ４８Ｃと、Ｋ画像形成ユニット２０Ｋにより形成されたＫ色の画像を中間転写ベルト４２の外周面に転写する転写ローラ４８Ｋとを備える。
【００２９】
転写ローラ４８Ｌ、４８Ｙ、４８Ｍ、４８Ｃ、及び４８Ｋは、何れも中間転写ベルト４２の内周面に接触しながら回転しつつ、上記現像された透明の画像、Ｙ色の画像、Ｍ色の画像、Ｃ色の画像、及びＫ色の画像を中間転写ベルト４２上に転写する転写ローラであり、転写ローラ４８Ｙ、４８Ｍ、４８Ｃ、４８Ｌ、及び４８Ｋの順に、中間転写ベルト４２の回転方向ａに沿って配設されている。転写ローラ４８Ｌ、４８Ｙ、４８Ｍ、４８Ｃ、及び４８Ｋは、それぞれ１次転写バイアス電源（後述）に接続されており、各々予め定められた電圧が印加される。
【００３０】
更に、中間転写ベルト４２に転写された画像が転写される記録媒体としての記録用紙を収容する用紙収容部１４が配設されている。Ｐで示される矢印は、記録用紙の搬送経路を示している。
【００３１】
２次転写ユニット６は、バックアップローラ４６と、中間転写ベルト４２を挟んでバックアップローラ４６の反対側に配設されてなり、中間転写ベルト４２の外周面に記録用紙を押圧しつつ回転し、中間転写ベルト４２の外周面に転写された画像を記録用紙に転写する２次転写ローラ６２とにより構成されている。２次転写ローラ６２は、２次転写バイアス電源（後述）に接続されており、予め定められた電圧が印加される。
【００３２】
また、定着装置６４は、バックアップローラ４６より下流側に配設されてなり、高温になるヒートローラ６６とバックアップローラ６８により構成されている。２次転写ユニット６において画像が転写された記録用紙が、定着装置６４のヒートローラ６６とバックアップローラ６８とで挟み込まれ、このときトナーが溶融、凝固して記録用紙に定着される。
【００３３】
すなわち、この画像形成装置１００では、帯電させた感光体２２Ｌ、２２Ｙ、２２Ｍ、２２Ｃ、及び２２Ｋを露光することにより、露光された部分の電位が低下して静電潜像が形成され、その後、現像装置２８Ｌ、２８Ｙ、２８Ｍ、２８Ｃ、及び２８Ｋによって、感光体２２Ｌ、２２Ｙ、２２Ｍ、２２Ｃ、及び２２Ｋの帯電極性と同極性に帯電されたトナーを感光体２２Ｌ、２２Ｙ、２２Ｍ、２２Ｃ、及び２２Ｋの帯電面の電位低下部に電気的に付着させることで、静電潜像が現像される。そして、このトナーと逆極性の転写電圧が印加された転写ローラ４８Ｌ、４８Ｙ、４８Ｍ、４８Ｃ、及び４８Ｋ側に、トナーが電気的に引き寄せられる。これによって、各（トナー）画像が、感光体２２Ｌ、２２Ｙ、２２Ｍ、２２Ｃ、及び２２Ｋから中間転写ベルト４２へ転写され重ね合わされる。更に、二次転写ユニット６では、トナーと逆極性の転写電圧が印加された２次転写ローラ６２側に中間転写ベルト４２上のトナーが電気的に引き寄せられ、記録用紙に転写される。そして、記録用紙に転写されたトナーは、上述したように定着装置６４で記録用紙に定着される。なお、カラーではなく白黒の画像を形成する場合には、Ｙ画像形成ユニット２０Ｙ、Ｍ画像形成ユニット２０Ｍ、Ｃ画像形成ユニット２０Ｃでは画像形成動作は行われない。
【００３４】
図３は、画像形成装置１００の制御系の構成を示すブロック図である。なお、図３には画像読取部も図示した。以下、Ｌ画像形成ユニット２０Ｌ、Ｙ画像形成ユニット２０Ｙ、Ｍ画像形成ユニット２０Ｍ、Ｃ画像形成ユニット２０Ｃ、及びＫ画像形成ユニット２０Ｋを特に区別せず説明する場合には、各画像形成ユニットを単に画像形成ユニット２０と呼称する。また、各画像形成ユニット２０を構成する各構成要素あるいは画像形成装置１００内の画像形成ユニット２０毎に対応して設けられた各構成要素についても、末尾の符号（Ｙ、Ｍ、Ｃ、Ｋ、Ｌ）を省略して説明する。
【００３５】
図３に示すように、画像形成装置１００は、操作部１２、自動用紙送り装置１６、画像読取部１８、及び通信ユニット３４が、制御装置１０とそれぞれ接続されている。
【００３６】
操作部１２は、例えば、タッチパネルディスプレイ等により構成され、様々な情報を表示したり、利用者が操作部１２に接触して指示することにより印刷指示等の指示や各種設定情報等が指定入力されたりする。
【００３７】
制御装置１０は、操作部１２から複写指示がなされた場合には、画像読取部１８に原稿を読み取らせる。このとき、自動用紙送り装置１６において原稿がセットされていることを検知した場合には、制御装置１０は自動用紙送り装置１６を動作させて、セットされた原稿を１枚ずつプラテンガラス上に案内して、該原稿を画像読取部１８に読み取らせる。画像読取部１８による読取結果として、原稿に記録されている画像を表す画像データが取得される。そして、制御装置１０は、取得された画像データに基づいて画像が形成されるよう画像形成部を制御する。また、操作部１２から印刷指示と共に印刷情報が指定された場合には、該指定された印刷情報に基づいて、画像が形成されるように画像形成部を制御する。なお、操作部１２から印刷指示を行わずとも、通信ユニット３４を介してコンピュータ２００から送信されてきた印刷情報を受信することにより、該受信した印刷情報を用いて画像が形成されるよう画像形成部を制御する場合もある。
【００３８】
なお、印刷情報には、印刷する画像を特定するための情報が含まれる。この情報は画像データそのものであってもよい。また、印刷情報には、例えば、原稿サイズ、印刷の色（カラー／白黒）、複写牽制画像（詳細は後述）の形成有無、面つけ指定、拡縮設定、印刷用用紙サイズ、及び印刷部数等、印刷条件を示す情報も含まれる。印刷情報は、例えば、ページ記述言語で記述されていてもよい。
【００３９】
次に、画像形成装置１００の画像形成部の電気的な構成について説明する。
【００４０】
図３に示すように、画像形成装置１００は、搬送モータ８０、露光装置２６のＬＤ（レーザダイオード）２６Ａを点灯駆動させるためのＬＤドライバ８２、現像装置２８を駆動させるためのモータ（以下、「現像モータ」と称す）８４、転写ローラ４８を移動させるためのモータ（以下、「転写モータ」と称す）８６、感光体２２を回転させるためのモータ（以下「感光体モータ」と称す）８８とを備えている。これら搬送モータ８０、ＬＤドライバ８２、現像モータ８４、転写モータ８６、感光体モータ８８は、制御装置１０にそれぞれ接続されている。
【００４１】
搬送モータ８０は、搬送ローラ４４を含め中間転写ベルト４２を回転させるための中間転写体駆動系９０、記録用紙を搬送するための用紙搬送系９２に接続されている。搬送モータ８０が駆動されると、その回転力が中間転写体駆動系９０、用紙搬送系９２に伝達されて、中間転写ベルト４２の図２で示した矢印ａ方向への回転、用紙収容部１４から２次転写ユニット６を介して排出部へ排出するまでの搬送経路Ｐに沿った記録用紙の一連の搬送が行われる。
【００４２】
感光体モータ８８は、画像形成ユニット２０毎に設けられており、それぞれ対応する各画像形成ユニット２０内の感光体２２に接続されている。感光体モータ８８が駆動されると、その回転力が感光体２２に伝達されて、感光体２２の図２で示した矢印方向への回転が行われる。
【００４３】
ＬＤドライバ８２は、画像形成ユニット２０毎に設けられており、それぞれ対応する画像形成ユニット２０内の露光装置２６の光源であるＬＤ２６Ａと接続されている。ＬＤドライバ８２には、制御装置１０から画像データに応じた点灯信号が入力され、ＬＤドライバ８２は入力された点灯信号に基づいてＬＤ２６Ａの点灯をＯＮ／ＯＦＦする。
【００４４】
現像モータ８４は、画像形成ユニット２０毎に設けられている。画像形成装置１００では、この現像モータ８４が回転されると、その回転力がそれぞれ対応する画像形成ユニット２０内の現像装置２８に伝達され、現像装置２８が駆動する。
【００４５】
転写モータ８６は、画像形成ユニット２０毎に設けられており、印刷中はこの転写モータ８６の回転によって、それぞれ対応する画像形成ユニット２０内の転写ローラ４８が感光体２２の周面に押圧・接触される。
【００４６】
なお、帯電器２４、転写ローラ４８、現像装置２８、２次転写ローラ６２は、高圧電源を必要とする。画像形成装置１００は、これらに高圧電源を供給するために、帯電器用のバイアス電源ユニット（以下、チャージバイアス電源）９４、現像器用のバイアス電源ユニット（以下、現像バイアス電源）９６、転写ローラ４８用のバイアス電源ユニット（以下、１次転写バイアス電源）９８、２次転写ローラ６２用のバイアス電源ユニット（以下、２次転写バイアス電源）７４、１次転写バイアス電源９８、２次転写バイアス電源７４は、制御装置１０にそれぞれ接続されている。
【００４７】
チャージバイアス電源９４は、画像形成ユニット２０毎に設けられ、各々対応する画像形成ユニット２０内の帯電器２４へ高電圧を印加可能に接続されている。画像形成装置１００では、このチャージバイアス電源９４から帯電器２４へ高電圧が印加されると、帯電器２４である帯電ローラが帯電されて、この帯電ローラにより感光体２２が帯電される。
【００４８】
現像バイアス電源９６は、画像形成ユニット２０毎に設けられ、各々対応する画像形成ユニット２０内の現像装置２８へ高電圧を印加可能に接続されている。画像形成装置１００では、この現像バイアス電源９６から現像装置２８へ高電圧が印加されると、現像装置２８内のトナーが帯電されて、静電的に感光体２２の潜像部分にトナーを付着させて現像する。
【００４９】
１次転写バイアス電源９８は、画像形成ユニット２０毎に設けられ、各々対応する画像形成ユニット２０内の転写ローラ４８へ高電圧を印加可能に接続されている。画像形成装置１００では、この１次転写バイアス電源９８から転写ローラ４８へ高電圧が印加されると、転写ローラ４８が帯電されて、静電的に感光体２２上のトナー像が中間転写ベルト４２へ転写される。
【００５０】
２次転写バイアス電源７４は、２次転写ローラ６２へ高電圧を印加可能に接続されている。画像形成装置１００では、この２次転写バイアス電源７４から２次転写ローラ６２へ高電圧が印加されると、２次転写ローラ６２が帯電されて、静電的に中間転写ベルト４２上のトナー像が記録用紙へ転写される。
【００５１】
また、制御装置１０には、ヒートローラ用電源６９が接続されている。ヒートローラ用電源６９は、ヒートローラ６６を加熱するための電力をヒートローラ６６の内部に設けられた発熱体に供給する。
【００５２】
また、制御装置１０は、画像形成部の動作を制御するために、画像データ生成部１０Ａと、画像形成動作を制御する画像形成制御部１０Ｂの機能を備えている。
【００５３】
画像データ生成部１０Ａは、印刷情報を解析して画像形成部での画像形成に用いるための画像データを生成する。
【００５４】
画像形成制御部１０Ｂは、上記の搬送モータ８０、ＬＤドライバ８２、現像モータ８４、転写モータ８６、及び感光体モータ８８の駆動や、チャージバイアス電源９４、現像バイアス電源９６、１次転写バイアス電源９８、２次転写バイアス電源７４のＯＮ／ＯＦＦあるいは印加電圧のレベル等を制御することにより、画像形成部の画像形成動作を制御するものである。
【００５５】
図４は、制御装置１０のハードウェア構成の一例を示す図である。
【００５６】
本実施の形態の制御装置１０は、ＣＰＵ（Central Processing Unit）７０、ＲＡＭ（Random Access Memory）７１、ＲＯＭ（Read Only Memory）７２、ＨＤＤ（Hard Disk Drive）７３、及びＩＦ（Interface）７４がバス７５を介して接続されて構成されている。
【００５７】
ＣＰＵ７０は、ＲＯＭ７２やＨＤＤ７３に記憶されているプログラム（後述する処理ルーチンのプログラムを含む）を実行し、画像形成装置１００全体の動作を制御する。ＲＯＭ７２には、ＣＰＵ７０が実行するプログラムやＣＰＵ７０の処理に必要なデータ等が記憶されている。ＲＡＭ７１は、ワークメモリとして使用される。なお、前述した画像データ生成部１０Ａ、及び画像形成制御部１０Ｂは、ＣＰＵ７０がプログラムを実行することにより実現される機能である。
【００５８】
なお、ＣＰＵ７０が実行するプログラムを記憶するための記憶媒体は、ＨＤＤ７３やＲＯＭ７２に限定されない。例えば、フレキシブルディスクやＤＶＤディスク、光磁気ディスクやＵＳＢメモリ等（不図示）であってもよいし、ネットワーク１５０に接続された他の装置の記憶装置であってもよい。
【００５９】
ＨＤＤ７３には、ＣＰＵ７０が実行するプログラムや各種データなどが記憶されている。また、画像形成部での画像形成に用いられる画像データを生成する場合に使用されるディザマトリックス等の情報も記憶されている。
【００６０】
Ｉ／Ｆ７４は、操作部１２、自動用紙送り装置１６、画像読取部１８、通信ユニット３４、搬送モータ８０、ＬＤドライバ８２、現像モータ８４、転写モータ８６、感光体モータ８８、１次転写バイアス電源９８、２次転写バイアス電源７４、及びヒートローラ用電源６９と接続するためのインタフェースである。
【００６１】
図５は、コンピュータ２００のハードウェア構成の一例を示す図である。
【００６２】
本実施の形態のコンピュータ２００は、ＣＰＵ（Central Processing Unit）２０１、ＲＡＭ（Random Access Memory）２０２、ＲＯＭ（Read Only Memory）２０３、表示装置２０４、操作装置２０５、ＨＤＤ（Hard Disk Drive）２０６、及び通信ユニット２０７がバス２０８を介して接続されて構成されている。
【００６３】
ＣＰＵ２０１は、ＲＯＭ２０３やＨＤＤ２０６に記憶されているプログラムを実行し、コンピュータ２００全体の動作を制御する。ＲＯＭ２０３には、ＣＰＵ２０１が実行するプログラム（例えば、アプリケーションソフトにより生成した画像データを印刷するための印刷情報を生成して画像形成装置１００に送信するためのプログラムなど）やＣＰＵ２０１の処理に必要なデータ等が記憶されている。ＲＡＭ２０２は、ワークメモリとして使用される。
【００６４】
なお、ＣＰＵ２０１が実行するプログラムを記憶するための記憶媒体は、ＨＤＤ２０６やＲＯＭ２０３に限定されない。例えば、フレキシブルディスクやＤＶＤディスク、光磁気ディスクやＵＳＢメモリ等（不図示）であってもよいし、ネットワーク１５０に接続された他の装置の記憶装置であってもよい。
【００６５】
表示装置２０４は、例えば、液晶ディスプレイ等により構成され、ＣＰＵ２０１の制御により各種画像やメッセージ等を表示する。
【００６６】
操作装置２０５は、例えば、キーボードやマウス等により構成され、利用者が操作装置２０５を操作することより各種情報が入力される。
【００６７】
ＨＤＤ２０６は、ＣＰＵ２０１が実行するプログラムや各種データが記憶されている。  通信ユニット２０７は、ネットワーク１５０を介して他の装置との間でデータの送受信を行うためのインターフェースである。
【００６８】
次に、画像形成装置１００で、複写牽制画像を埋め込んで画像を形成する際の動作について説明する。ここで、複写牽制画像について説明する。複写牽制画像は、画像読取部１８の読取解像度よりも画像形成部の画像形成の解像度の方が高いことを利用して、複写牽制画像が形成された記録媒体を複写すると、その複写物に、複写を牽制する警告文字などが浮き出てくるように形成された画像をいう。
【００６９】
複写牽制画像の一例を、図６Ａに示す。また、図６Ｂは図６Ａの破線で囲んだ部分を拡大した拡大図である。
【００７０】
図６Ａ中の黒で示す領域が複写すると出てくる（複写物に画像が形成される）潜像領域であり、その周囲の斜線を施して示した領域が複写すると消える（複写物に画像が形成されない）背景領域である。潜像領域及び背景領域とも同一のトナーにより、見かけの色及び濃度が同じになるよう印刷されている。なお、この図では、印刷結果において潜像領域を示す「ＣＯＰＹ」の文字が識別できるが、実際には「ＣＯＰＹ」の文字は識別し難くなっている。
【００７１】
図６Ｂに示すように、潜像領域は、画像読取部１８で読取り可能な大きなドット（線数の低い網点）を比較的疎に配置して構成されている。また背景領域は、画像読取部１８で読取り不能な小さなドット（上記線数の低い網点より線数の高い網点）を比較的密に配置して構成されている。潜像領域及び背景領域の画像は、各々異なるディザマトリクスを用いたディザ処理により二値化された画像データにより形成される。
【００７２】
この複写牽制画像が形成された記録用紙を画像形成装置１００の複写機能により複写した場合には、潜像領域を構成する網点は画像読取部１８で読取り可能な大きさと濃度を有しており記録用紙に記録されるが、背景領域を構成する網点は、画像読取部１８で読取り不能な大きさであり画像データとして読み取られず記録用紙には記録されない。したがって、潜像領域のみが浮き出ることになる（特開２００１−１９７２９７号公報も参照。）。
【００７３】
図７は、本実施の形態に係る画像形成装置１００の画像形成動作制御の流れを示すフローチャートである。なお、ここでは、複写牽制画像有り及び白黒印刷が指定された印刷情報に基づいて画像を形成する場合を例に挙げて説明する。
【００７４】
ステップ３００では、画像データ生成部１０Ａは、印刷情報に基づいて、印刷する画像を示す多値のビットマップの画像データを生成して取得する。本例では、白黒印刷が指定されているため、ここではＫ色の多値画像データが取得される。
【００７５】
ステップ３０２では、画像データ生成部１０Ａは、潜像領域及び背景領域を特定するための複写牽制情報（複写牽制画像を表す画像データであってもよいし、潜像領域及び背景領域の形状及び位置を示す情報であってもよい）に基づいて、潜像領域及び背景領域を設定する。なお、この複写牽制情報は、コンピュータ２００から取得してもよいし（例えば、コンピュータ２００が画像形成装置１００に送信する印刷情報に含めるなど）、画像形成装置１００の操作部１２を介して利用者が入力するようにしてもよいし、ＨＤＤ７３に予め記憶しておくようにしてもよい。
【００７６】
ステップ３０４では、画像データ生成部１０Ａは、Ｋ色の画像データを潜像領域の画像データと背景領域の画像データとに分割し、潜像領域の画像データに対しては、潜像領域用のディザマトリクスを用いて二値化処理し、背景領域の画像データに対しては、背景領域用のディザマトリクスを用いて二値化処理する。これにより、Ｋ色の二値の画像データが生成される。
【００７７】
ステップ３０６では、画像データ生成部１０Ａは、二値化処理後の背景領域の画像データに基づいて、透明のトナーを用いた画像を形成する領域（透明画像領域）を決定する。
【００７８】
二値化処理後のＫ色の画像データが表す画像は、複数の網点で構成される。本実施の形態では、背景領域の画像を構成する各網点を保護すべき保護網点とし、該保護網点の各々に接触する領域を、透明のトナーを用いた画像が形成される領域（透明画像領域）として決定する。なお、潜像領域内には透明画像領域が形成されないようにする。
【００７９】
例えば、図８に示すように、保護網点が形成される領域の各々を含む領域を透明画像領域として決定してもよいし、図９に示すように、保護網点が形成される領域の周囲（Ｋ色の網点が形成される領域に隣接する領域）に透明画像領域が配置されるようにしてもよい。なお、図８及び図９において、黒丸は保護網点が形成される領域を示し、斜線の領域は透明画像領域を示す。図８に示す例では、保護網点が形成される領域と透明画像領域とが重複する部分が存在するが、図９に示す例では、該重複する部分は存在しない。
【００８０】
なお、保護網点の各々に対する透明画像領域の各々の大きさであるが、例えば、予め実験等により転写の際に中間転写ベルト４２に保護網点が残留せず記録用紙に転写される確率が予め定められた閾値よりも高くなる大きさを求めておき、該求めた大きさの透明画像領域となるようにしてもよい。
【００８１】
ステップ３０８では、画像データ生成部１０Ａは、上記決定した透明画像領域に透明の画像を形成するための二値の画像データを生成する。
【００８２】
ステップ３１０では、画像形成制御部１０Ｂは、上記生成した各画像データに基づいて画像が形成されるように、画像形成部を制御する。ここでは、白黒画像を形成するため、Ｙ画像形成ユニット２０Ｙ、Ｍ画像形成ユニット２０Ｍ、Ｃ画像形成ユニット２０Ｃでの画像形成動作を停止し、上記生成した透明の画像を形成するための二値の画像データに基づいて、Ｌ画像形成ユニット２０Ｌで透明の画像が形成されるように制御し、上記生成したＫ色の二値の画像データに基づいて、Ｋ画像形成ユニット２０ＫでＫ色の画像が形成されるように制御する。
【００８３】
これにより、中間転写ベルト４２上に保護網点と透明の画像とが接触して形成される。保護網点と透明画像とが接触してトナーのかたまりが大きくなり、保護網点のみの場合より電荷の大きなかたまりが生成される。この状態で中間転写ベルト４２に形成された画像が記録用紙に転写される。
【００８４】
なお、上記実施の形態では、プロセス方向に沿って上流側から下流側に向かって、Ｌ画像形成ユニット２０Ｌ、Ｙ画像形成ユニット２０Ｙ、Ｍ画像形成ユニット２０Ｍ、Ｃ画像形成ユニット２０Ｃ、Ｋ画像形成ユニット２０Ｋの順に、タンデム状に配設されて構成されている。したがって、透明の画像が最初に中間転写ベルト４２上に形成され、その後に有色のトナーの画像（Ｙ，Ｍ，Ｃ，Ｋ色のトナーの画像）が形成される（結果として、透明の画像が中間転写ベルト４２に対して最下層に形成される）。これにより、例えば、図８に示すように透明画像領域を配置した場合には、記録用紙に対する二次転写の際には、有色のトナーに比べて最下層の透明のトナーが転写されにくくなるが、透明のトナーが転写されずに中間転写ベルト４２に残留したとしても、それより上層の有色のトナーの欠落は抑制される。また、二次転写後は、記録用紙に対して透明のトナー層が最上層となるため、定着装置６４での定着処理の際には最上層の透明のトナー層より下層の有色のトナーの欠落は抑制される。
【００８５】
なお、上記実施の形態では、白黒の画像を形成する場合を例に挙げて説明したが、Ｋ色以外の有色の画像に複写牽制画像を重畳して形成する場合であっても上記と同様に処理される。
【００８６】
また、ＹＭＣＫ４色のうち複数色を用いた画像に複写牽制画像を重畳する場合には、各色毎にステップ３０４の処理を行って各色毎の画像データを生成し、各色毎にステップ３０６での処理を行って各色毎の透明画像領域を決定し、更に各色毎の透明画像領域の論理積をとった領域を最終的な透明画像領域として決定し、ステップ３０８で、該最終的な透明画像領域に透明な画像を形成するための画像データを生成する。
【００８７】
また、上記実施の形態では、図８及び図９に透明画像領域の具体例を図示したが、これに限定されず、例えば、背景領域の全域を透明画像領域としてもよい。また、図１０に示すように、保護網点が形成される領域の各々の全体を含むのではなく、保護網点が形成される領域の各々の一部を含む領域を透明画像領域としてもよい。また、図９では透明画像領域を保護網点の輪郭を取り囲むように隣接して配置したが、図１１に示すように、保護網点の輪郭の一部に隣接するように透明画像領域を配置してもよい。また、図１２に示すように、保護網点が形成される領域と同じ領域を透明画像領域としてもよい。また、図１３に示すように、透明画像領域を配置してもよい。
【００８８】
また、上記実施の形態では、背景領域を構成する各網点を保護網点とする例について説明したが、これに限定されず、例えば、視覚的に識別し難い網点のパターンによって、印刷される画像に様々な情報を埋め込む方法が知られているが（例えば、特開２００１−３４６０３２号公報）、このパターンを形成する網点を保護網点としてもよい。
【００８９】
以下、複写牽制画像に情報を埋め込んで印刷する場合の具体例について説明する。なお、ここでは、予め定められた階調値のＫ色の画像データに対して予め定められた情報（コンピュータ２００から指定された情報であってもよいし、操作部１２で指定された情報であってもよい）を埋め込む場合を例に挙げて説明する。また、ここでも、図７に示したフローチャートの流れにしたがって画像データを生成して画像を形成するが、この場合、ステップ３０４では、以下のように処理する。
【００９０】
まず、予め、ＨＤＤ７３に、図１４に示す３種類のパターンを記憶しておく。ステップ３０４では、この３種類のパターンから埋め込む情報に応じたパターンを選択し、３種類のパターンで構成された二値の画像データを生成する。埋め込む情報は、印刷情報に含めても良いし、画像形成装置１００の操作部１２を介して利用者が入力するようにしてもよいし、ＨＤＤ７３に予め記憶しておくようにしてもよい。なお、パターン０及びパターン１は、画像読取部１８で読取可能なパターンとし、パターン２は、画像読取部１８で読取不能なパターンとする。
【００９１】
より具体的に説明すると、画像データ生成部１０Ａは、埋め込む情報を「０」及び「１」のビット列に変換し（変換後のビット列をコードと呼称する）、該変換したコードの各ビットの値に応じてＨＤＤ７３に記憶されているパターンを選択し、潜像領域の画像を該パターンで表したパターン画像データを生成する。例えば、コードを構成するビットの値が「０」であれば図１４に示すパターン０を選択し、コードを構成するビットの値が「１」であれば図１４に示すパターン１を選択する。こうしてコードの各ビットを順次パターンに置き換え、予め定められた大きさの２次元配列（単位２次元配列）を生成する。この単位２次元配列を繰り返し並べて、最終的に、潜像領域の二値化された画像データを生成する。一方、背景領域の画像については、パターン２を選択し、パターン２を繰り返し配列して背景領域の二値化された画像データを生成する。
【００９２】
画像データ生成部１０Ａは、このように二値化したＫ色の画像データを生成した後、ステップ３０６で、二値化処理後の潜像領域の画像データに基づいて、透明のトナーを用いた画像を形成する領域（透明画像領域）を決定する。すなわち、ここでは、コードを表す各網点を保護すべき保護網点とし、該保護網点の各々に接触する領域を、透明画像領域として決定する。また、背景領域内には透明画像領域が形成されないようにする。
【００９３】
図１５に、透明画像領域の一例を示す。黒線は保護網点が形成される領域を示し、斜線の領域は透明画像領域を示す。図１５に示す例では、保護網点が形成される領域の周囲（Ｋ色の網点が形成される領域に隣接する領域）に透明画像領域が配置されている。また、図８のように、保護網点が形成される領域の各々を含む領域を透明画像領域として決定してもよい。更には、図１０〜図１３に示すように透明画像領域を配置してもよい。
【００９４】
そして、ステップ３０８で、画像データ生成部１０Ａは、上記決定した透明画像領域に透明の画像を形成するための二値の画像データを生成し、ステップ３１０で、画像形成制御部１０Ｂは、上記生成した各画像データに基づいて画像が形成されるように、画像形成部を制御する。
【００９５】
図１６に、印刷結果の一例と、該印刷結果が複写された場合の複写結果の一例と、印刷結果の一部分（四角で囲んだ領域）を拡大した部分拡大図とを図示した。なお、この図では、印刷結果において潜像領域を示す「ＣＯＰＹ」の文字が識別できるが、実際には「ＣＯＰＹ」の文字は識別し難くなっている。
【００９６】
部分拡大図から明らかなように、潜像領域にはパターン０又は１が配置され、背景領域にはパターン２が配置される。これを複写すると、図１６の複写結果に示されるように、潜像領域は高濃度で複写され、背景領域は画像が抜けて、「ＣＯＰＹ」の文字が浮かび上がる。この潜像領域の画像を構成する各網点に対して上記のように透明の画像が形成されることで、コードが欠落することが抑制される。
【００９７】
なお、ここでは、予め定められた階調値のＫ色の画像データについて説明したが、階調値毎に図１４に示す３種類のパターンを記憶しておき、コードを埋め込むようにしてもよい。また、上記のように網点化される３種類のディザマトリクスをＨＤＤ７３等に記憶しておき、該ディザマトリクスを用いて二値化するようにしてもよい。また、Ｋ色の画像データに限定されず、例えば、Ｙ、Ｍ，Ｃ色のいずれかの画像データに対してコードを埋め込んで上記のように透明の画像を形成してもよい。
【００９８】
また、ここでは、コードを表す各網点を保護網点として説明したが、コードを表す各網点、及び背景領域を構成する各網点の各々に対して透明の画像を形成してもよい。
【００９９】
また、保護網点は上記網点に限定されず、網点の欠落を抑制したい様々な画像の網点にも適用される。例えば、記録用紙に形成する画像のうち、バーコードや二次元コード（例えばＱＲコード等）などのコード部分を形成する有色トナーの網点を保護網点として透明画像領域を形成するようにし、保護網点以外の網点で構成される領域に対しては透明画像領域を形成しないようにしてもよい。
【０１００】
なお、上記実施の形態では、画像形成装置１００において、プロセス方向に沿って上流側にＬ画像形成ユニット２０Ｌを配置した例について説明したが、プロセス方向に沿って下流側にＬ画像形成ユニット２０Ｌを配置しても良い。このような構成であっても、保護網点と透明画像とが接触してトナーのかたまりが大きくなり、保護網点のみの場合より電荷の大きなかたまりが生成される。
【０１０１】
また、上記実施の形態では、画像形成装置１００で、二値化した有色及び透明の画像データを生成する例について説明したが（図７参照。）、これに限定されず、例えば、コンピュータ２００で有色及び透明の二値の画像データを生成して画像形成装置１００に送信し、画像形成装置１００が該送信された画像データに基づいて画像を形成するようにしてもよい。また、有色の二値の画像データをコンピュータ２００が生成して画像形成装置１００に送信し、画像形成装置１００で、該受信した有色の二値の画像データに基づいて、透明の二値の画像データを画像形成装置１００が生成するようにしてもよい。
【０１０２】
また、画像形成装置１００は、上記タンデム型の構成に限定されない。例えば、図１７に示すように、回転式の現像装置４１０が設けられた画像形成部を有する画像形成装置４００であってもよい。
【０１０３】
感光体４０１は図示しないモータで矢印Ａの方向に回転されるように設けられている。感光体４０１の周囲には、帯電ロール４０８、露光装置４０９、現像装置４１０、一次転写器４０２、及びクリーニング装置４１１が配置されている。
【０１０４】
帯電ロール４０８は、感光体４０１の表面を帯電し、露光装置４０９は、画像データに応じて、帯電した感光体４０１の表面をレーザビームによって露光して静電潜像を形成する。
【０１０５】
現像装置４１０には、Ｙ、Ｍ、Ｃ、Ｋ色のトナーを用いる現像器４１０Ｙ、４１０Ｍ、４１０Ｃ、４１０Ｋと、透明のトナーを用いる現像器４１０Ｌが周方向に沿って配置されており、各現像器４１０Ｙ，４１０Ｍ，４１０Ｃ，４１０Ｋ、４１０Ｌは、感光体４０１上の静電潜像をそれぞれＣ，Ｍ、Ｙ、Ｋ色のトナーと、透明のトナーで現像する。現像する際には、図示しないモータによって現像装置４１０を矢印Ｒ方向に回転させ、当該現像器が感光体４０１の潜像画像に対向するように位置合わせされる。
【０１０６】
感光体４０１上に現像された各トナー画像は、一次転写器４０２によって中間転写ベルト４０３に順次転写されて、各トナー画像が重ね合わされる。中間転写ベルト４０３にはベルトクリーニング４１６が設けられ、中間転写ベルト４０３上の残留トナーがクリーニングブレードで掻き落とされる。
【０１０７】
記録用紙カセット４１７，４１８から引き出しロール４１９，４２０で搬送路に引き出された記録用紙はロール対４２１，４２２，４２３によって２次転写器４０４の転写位置に搬送される。中間転写ベルト４０３上に形成されたトナー像はこの転写位置で記録用紙上に転写され、定着装置４２４で熱定着されて排出部４２５又は本体上面に排出される。
【０１０８】
このような画像形成装置４００も、上記実施の形態で説明したように保護網点に対して透明の画像を形成する画像形成装置として適用される。
【０１０９】
また、上記実施の形態では、画像データの生成をソフトウェアにより実行するようにしたが、ハードウェアで実行するようにしてもよい。
【符号の説明】
【０１１０】
２     画像形成部
６     二次転写ユニット
１０Ａ 画像データ生成部
１０Ｂ 画像形成制御部
１０   画像形成装置
１０   制御装置
１８   画像読取部
２０Ｌ Ｌ画像形成ユニット
２０Ｙ Ｙ画像形成ユニット
２０Ｍ Ｍ画像形成ユニット
２０Ｃ Ｃ画像形成ユニット
２０Ｋ Ｋ画像形成ユニット
４２   中間転写ベルト
４８Ｌ、４８Ｙ、４８Ｍ、４８Ｃ、４８Ｋ    転写ローラ
６２   ２次転写ローラ
６４   定着装置
７０   ＣＰＵ
７１   ＲＡＭ
７２   ＲＯＭ
７３   ＨＤＤ
１００ 画像形成装置
１５０ ネットワーク
２００ コンピュータ
２０４ 表示装置
２０５ 操作装置
２０７ 通信ユニット
２０８ バス
４００ 画像形成装置
【図１】
2011039380.tif 000003
【図２】
2011039380.tif 000004
【図３】
2011039380.tif 000005
【図４】
2011039380.tif 000006
【図５】
2011039380.tif 000007
【図６Ａ】
2011039380.tif 000008
【図６Ｂ】
2011039380.tif 000009
【図７】
2011039380.tif 000010
【図８】
2011039380.tif 000011
【図９】
2011039380.tif 000012
【図１０】
2011039380.tif 000013
【図１１】
2011039380.tif 000014
【図１２】
2011039380.tif 000015
【図１３】
2011039380.tif 000016
【図１４】
2011039380.tif 000017
【図１５】
2011039380.tif 000018
【図１６】
2011039380.tif 000019
【図１７】
2011039380.tif 000020